(57)【要約】【課題】リモコンの設置場所から、リモコンと室内機との接続関係が認識できる空気調和機を提供する。【解決手段】室内機１０は化粧パネル１１０と、既設の複数のコーナーカバー１１３と、表示部１４とを備えている。複数のコーナーカバー１１３は、相互に同一形状を有しており、化粧パネル１１０の４隅に取り付けられている。表示部１４はコーナーカバー１１３の少なくとも何れか一つに設けられる。表示部１４はリモコンの操作に連動して、自身がリモコンの操作対象である旨を表示する。表示部１４が設けられたコーナーカバー１１３と、表示部１４が設けられていないコーナーカバー１１３は、化粧パネルの例えば４隅のいずれにも取り付け可能であるので、リモコンの設置場所から視認するのに適切な位置に表示部１４を取り付けることができる。【選択図】図１
2009079786.tif 000002
【特許請求の範囲】
【請求項１】
複数の室内機（１０，１０ａ〜１０ｄ）と、複数のリモートコントローラ（２０，２０ａ〜２０ｄ）とを有する空気調和機であって、
一の前記リモートコントローラは、
前記室内機への操作が入力される操作部（２３）と、
前記操作が入力されたときに、前記一の前記リモートコントローラが操作対象とする前記室内機へと信号を送信するリモコン通信部（２１，２２）と
を備え、
前記一の前記リモートコントローラが操作対象とする前記室内機は、
室内（１）の空気を吸入する吸入口（１１１）と、前記室内へと空気を吹き出す吹出口（１１２）とを有するパネル（１１０）と、
前記パネルに着脱可能に取り付けられ、相互に同一の形状を有する複数のカバー（１１３ａ〜１１３ｄ）と、
前記カバーに対応する位置に設けられて、前記カバーが外された状態で前記パネルが前記天井に取り付けられる固定部（１２１）と、
室内機通信部（１１）と、
前記室内機通信部が前記信号を受け取ったときに、前記一の前記リモートコントローラの操作対象である旨を表示する表示部（１４）と
を備え、
前記表示部は前記カバーの少なくとも何れか一つに設けられている、空気調和機。
【請求項２】
前記一の前記リモートコントローラ（２０）が操作対象とする前記室内機（１０）は、前記複数の前記カバー（１１３）に対応する位置において前記表示部（１４）と前記室内機通信部（１１）との間を接続する複数の配線（１４１）を更に備える、請求項１に記載の空気調和機。
【請求項３】
前記表示部（１４）は、空気調和に関する前記室内機（１０）の状態を表示する、請求項１又は２に記載の空気調和機。
【請求項４】
前記表示部（１４）はＬＥＤ（１４ａ〜１４ｍ）を備える、請求項１乃至３の何れか一つに記載の空気調和機。
【発明の詳細な説明】
【技術分野】
【０００１】
本発明は、複数のリモートコントローラと複数の室内機を有する空気調和機に関し、例えば天井設置型の空気調和機に関する。
【背景技術】
【０００２】
複数のリモートコントローラと複数の室内機が混在する空気調和機においては、次のような手法により、リモートコントローラと室内機との接続関係が認識されていた。例えば、リモートコントローラと室内機の接続表を作成したり、相互に接続されたリモートコントローラおよび室内機ごとに、例えば同色のテープを貼り付けていた。
【０００３】
なお、本発明に関する技術として特許文献１，２が開示されている。
【０００４】
【特許文献１】特開２００７−１０１１６４号公報
【特許文献２】特開平４−６８２４９号公報
【発明の開示】
【発明が解決しようとする課題】
【０００５】
しかしながら、リモートコントローラと室内機との接続表を作成したり、リモートコントローラおよび室内機にテープを貼り付けことは、作業員の負担になるうえ間違う可能性があった。
【０００６】
なお、リモートコントローラを操作する際にリモートコントローラと室内機の接続関係を確認する要求が高くなるので、リモートコントローラの設置場所において接続関係を認識できることが要求されている。
【０００７】
そこで、本発明は、作業員の負担を軽減し、リモートコントローラの設置場所から、リモートコントローラと室内機との接続関係が認識できる空気調和機を提供することを目的とする。
【課題を解決するための手段】
【０００８】
本発明に係る空気調和機の第１の態様は、複数の室内機（１０，１０ａ〜１０ｄ）と、複数のリモートコントローラ（２０，２０ａ〜２０ｄ）とを有する空気調和機であって、一の前記リモートコントローラは、前記室内機への操作が入力される操作部（２３）と、前記操作が入力されたときに、前記一の前記リモートコントローラが操作対象とする前記室内機へと信号を送信するリモコン通信部（２１，２２）とを備え、前記一の前記リモートコントローラが操作対象とする前記室内機は、室内（１）の空気を吸入する吸入口（１１１）と、前記室内へと空気を吹き出す吹出口（１１２）とを有するパネル（１１０）と、前記パネルに着脱可能に取り付けられ、相互に同一の形状を有する複数のカバー（１１３ａ〜１１３ｄ）と、前記カバーに対応する位置に設けられて、前記カバーが外された状態で前記パネルが前記天井に取り付けられる固定部（１２１）と、室内機通信部（１１）と、前記室内機通信部が前記信号を受け取ったときに、前記一の前記リモートコントローラの操作対象である旨を表示する表示部（１４）とを備え、前記表示部は前記カバーの少なくとも何れか一つに設けられている。
【０００９】
本発明に係る空気調和機の第２の態様は、第１の態様に係る空気調和機であって、前記一の前記リモートコントローラ（２０）が操作対象とする前記室内機（１０）は、前記複数の前記カバー（１１３）に対応する位置において前記表示部（１４）と前記室内機通信部（１１）との間を接続する複数の配線（１４１）を更に備える。
【００１０】
本発明に係る空気調和機の第３の態様は、第１又は第２の態様に係る空気調和機であって、前記表示部（１４）は、空気調和に関する前記室内機（１０）の状態を表示する。
【００１１】
本発明に係る空気調和機の第４の態様は、第１乃至第３の何れか一つの態様に係る空気調和機であって、前記表示部（１４）はＬＥＤ（１４ａ〜１４ｍ）を備える。
【発明の効果】
【００１２】
本発明に係る空気調和機の第１の態様によれば、表示部が設けられたカバーと、他のカバーとが相互に同一形状を呈しているので、表示部が設けられたカバーを、他のカバーが取り付けられるべきいずれの位置においても取り付けることができる。よって、リモートコントローラの設置場所から容易に視認できる位置に当該表示部を取り付けることができ、リモートコントローラの操作対象である室内機を容易に視認できる。また、既設の着脱可能なカバーに表示部を設けるので、製造コストを低減できる。
【００１３】
本発明に係る空気調和機の第２の態様によれば、複数のカバーに対応する位置において、制御部と接続された配線が設けられているので、いずれの当該位置においても、カバーに設けられた表示部と制御部とを接続できる。
【００１４】
本発明に係る空気調和機の第３の態様によれば、現在の室内機の状態を容易に視認できる。
【００１５】
本発明に係る空気調和機の第４の態様によれば、表示部がＬＥＤなので、室内機通信部との電気的な接続を簡易にでき、以って表示部が設けられたカバーを取り付けるに際して、作業性を向上できる。
【発明を実施するための最良の形態】
【００１６】
実施の形態．
図１は、実施の形態にかかる空気調和機の一例の概念的な構成を示している。本空気調和機は例えば天井設置型の空気調和機であって室内１に設けられている。本空気調和機は、複数の室内機１０ａ〜１０ｄ（その各々については室内機１０とも呼ぶ）と、複数のリモートコントローラ２０ａ〜２０ｄ（以下、それぞれをリモコン２０ａ〜２０ｄと呼び、その各々についてはリモコン２０とも呼ぶ）とを備えている。
【００１７】
図１においては、リモコン２０ａが室内機１０ａと、リモコン２０ｂ，２０ｃが室内機１０ｂと、リモコン２０ｄが室内機１０ｃ，１０ｄの両方と接続されている。室内機１０とリモコン２０とは例えば無線や天井裏や壁の内部を通る配線によって相互に接続されている。
【００１８】
このような空気調和機において、ユーザは例えばリモコン２０ａの操作対象である室内機１０がいずれであるのか一見して把握することが望まれる。
【００１９】
図２は、リモコン２０と、当該リモコン２０が操作対象とする室内機１０との内部構成の一例を示す概念的な機能ブロック図である。室内機１０は、通信部１１と、制御部１２と、ファン１３と、表示部１４とを備えている。リモコン２０は、通信部２１と、制御部２２と、操作部２３とを備えている。
【００２０】
通信部１１，２１は有線又は無線により相互に信号を送受信することができる。
【００２１】
制御部１２は通信部１１を介してリモコン２０から信号を受信したときに、リモコン２０の操作対象である旨を表示部１４に表示する。なお、表示部１４は便宜上一つのブロックで示されているが、後述するように複数の表示部１４が設けられてもよい。また、制御部１２はファン１３の回転動作を制御することができる。
【００２２】
操作部２３はユーザによって操作され、当該ユーザによる操作があったときに操作信号を制御部２２に出力する。
【００２３】
制御部２２は操作部２３からの操作信号が入力されると、通信部２１を介して、操作対象である室内機１０に信号を送信する。
【００２４】
図３は、室内機１０の一例として、その外観を示す概念的な斜視図である。室内機１０は化粧パネル１１０と、本体ケース１２０と、固定部１２１とを備えている。
【００２５】
化粧パネル１１０は、吸入口１１１と、吹出し口１１２と、複数のコーナーカバー１１３ａ〜１１３ｄ（その各々についてはコーナーカバー１１３とも呼ぶ）と、表示部１４とを備えている。吸入口１１１は室内１の空気を吸入するための通風孔である。吹出し口１１２は室内１へと空気を吹き出すための通風孔である。
【００２６】
複数のコーナーカバー１１３ａ〜１１３ｄは、表示部１４が設けられている否かを除いて相互に同一の形状を有しており、化粧パネル１１０に着脱可能に取り付けられる。図３においては、化粧パネル１１０の４隅に設けられている。コーナーカバー１１３の機能については後述する。
【００２７】
表示部１４はコーナーカバー１１３ａ〜１１３ｄの少なくとも一つに設けられる。図３においては、コーナーカバー１１３ｂに設けられている。
【００２８】
本体ケース１２０はその内部に空気調和に関する機構（通信部１１、制御部１２、ファン１３等；図２も参照）を収納している。固定部１２１は本体ケース１２０の例えば側面に設けられており、本体ケース１２０、ひいては化粧パネル１１０を天井に固定する。
【００２９】
図４は、このような構成の室内機１０を室内１の天井（図示省略）に固定する場合の様子を示している。まず、全てのコーナーカバー１１３が化粧パネル１１０から取り外される。そして例えば二叉状の固定部１２１に天井空間から吊り下げられた吊ボルト２を嵌合させて、室内１側から化粧パネル１１０の４隅（コーナーカバー１１３が取り付けられる部分）を介して吊ボルト２にナット３を取り付ける。このようにして、吊ボルト２と固定部１２１とを固定して、以って室内機１０（本体ケース１２０及び化粧パネル１１０）を天井に固定する。そして、室内機１０を天井に固定した後にコーナーカバー１１３を化粧パネル１１０に取り付ける。
【００３０】
コーナーカバー１１３を取り付けることによって、化粧パネル１１０の外観を良好にすることができる。表示部１４が設けられていないコーナーカバー１１３ａ，１１３ｃ，１１１３ｄは、化粧パネルの外観を良好にする既設の部品である。なお、表示部１４が設けられたコーナーカバー１１３ｂは、化粧パネル１１０に取り付けられる際に、表示部１４と制御部１２とが電気的に接続される。公知のコーナーカバーに対し、その取り付けに関わる外形を変更することなく表示部１４を設けることは、公知の技術で実現できる。
【００３１】
図５は、室内機１０を天井側から見て本体ケース１２０を通る断面の一例の概念的な構成を示している。本体ケース１２０の内部には、ファン１３と、電装ユニット１６１と、伝送ユニット１６２と、配線１４１とが示されている。電装ユニット１６１の内部には制御部１２等が設けられている。伝送ユニット１６２は、電装ユニット１６１の例えばインターフェース等が設けられている。
【００３２】
配線１４１は本体ケース１２０内で伝送ユニット１６２から引き出されている。そして、伝送ユニット１６２とは反対に位置する配線１４１の一端がコーナーカバー１１３ａ〜１１３ｄの各々の位置に配される。当該一端は表示部１４と着脱可能に接続することができる。従って、コーナーカバー１１３ａ〜１１３ｄのいずれに表示部１４が設けられていたとしても、この表示部１４と電装ユニット１６１（より具体的には制御部１２）とを電気的に接続することができる。
【００３３】
このような空気調和機における制御部１２の動作を図６に示す。ステップＳ１にて、制御部１２はリモコン２０から信号を受け取ったかどうかを判断する。信号を受け取っていないと判断した場合は再度ステップＳ１を実行する。
【００３４】
例えばユーザがリモコン２０を操作すると、操作部２３から操作信号が制御部２２に入力される。当該操作信号を受け取った制御部２２は通信部２１を介して、操作対象である室内機１０へと信号を送信する。
【００３５】
制御部１２が通信部１１を介して当該信号を受け取ると、ステップＳ１で制御部１２は信号を受け取ったと判断し、ステップＳ２にて、自身がリモコン２０の操作対象である旨を表示部１４に表示する。より具体的には例えば表示部１４に設けられたＬＥＤを点灯させる。
【００３６】
このように、リモコン２０への操作と連動して、表示部１４に当該リモコン２０の操作対象である旨が表示されるので、ユーザは表示部１４を確認することでリモコン２０の操作対象がいずれの室内機１０であるのか認識することができる。また、室内機１０とリモコン２０との接続表を作成するなどの手間を省略でき、作業員の負担を軽減することができる。
【００３７】
また、上述したように、表示部１４が設けられたコーナーカバー１１３と、表示部１４が設けられていないコーナーカバー１１３とは、表示部１４の有無を除いて同一の形状を有している。つまり、表示部１４が設けられたコーナーカバー１１３は、化粧パネル１１０の例えば４隅のいずれにも着脱可能に設けることができる。従って、これら４隅のうち、リモコン２０の設置場所から視認容易な位置に、表示部１４が設けられたコーナーカバー１１３を取り付け、その他の位置には、表示部１４が設けられていないコーナーカバー１１３を取り付けることができる。
【００３８】
より具体的に、例えば図１を参照して説明する。リモコン２０ａの操作対象である室内機１０ａにおいて、リモコン２０ａが設置された場所から視認するのに適切な位置、即ちコーナーカバー１１３ａ，１１３ｂの何れかに表示部１４が設けられることが望ましい。同様に、リモコン２０ｂ，２０ｃの操作対象である室内機１０ｂについては、コーナーカバー１１３ｂに表示部１４が設けられていることが望ましい。リモコン２０ｄの操作対象である室内機１０ｃについてはコーナーカバー１１３ｂに、リモコン２０ｄの操作対象である室内機１０ｄについてはコーナーカバー１１３ａ，１１３ｂの何れかに表示部１４がそれぞれ設けられていることが望ましい。
【００３９】
以上のように、リモコン２０の設置場所から容易に視認できる位置に表示部１４を取り付けることができ、リモコン２０の操作対象である室内機１０を容易に視認できる。また既設の着脱可能なコーナーカバー１１３に表示部１４を設けるので、製造コストを低減できる。
【００４０】
なお、ユーザがリモコン２０ａを操作した際に、リモコン２０ａの設置場所から室内機１０ｂ〜１０ｄの表示部１４を視認できることが望ましい。室内機１０ｂ〜１０ｄの表示部１４がリモコン２０ａの設置場所から視認できなければ、ユーザがリモコン２０ａを操作したとしても、室内機１０ｂ〜１０ｄがリモコン２０ａの操作対象でないことが確認できないからである。
【００４１】
リモコン２０ｂ〜２０ｄについても同様である。よって、リモコン２０ａ〜２０ｄの設置場所の各々から、全ての室内機１０の表示部１４を視認できることが望ましい。より具体的には、室内機１０ａについてはコーナーカバー１１３ｂに、室内機１０ｂについてはコーナーカバー１１３ａ，１１３ｂの両方に、室内機１０ｃについてはコーナーカバー１１３ａ，１１３ｂの両方に、室内機１０ｄについてはコーナーカバー１１３ａに、それぞれ表示部１４が設けられていることが望ましい。これにより、任意のリモコン２０の設置場所から全ての室内機１０の表示部を視認でき、リモコン２０の操作対象である室内機１０を簡単に識別することができる。
【００４２】
また、所定の空気調和機に室内機１０やリモコン２０を新たに増設した場合であっても、既設の室内機１０において、コーナーカバー１１３を、表示部１４が設けられたコーナーカバー１１３と容易に交換できるので、増設したリモコン２０の設置場所から視認容易な位置に表示部１４を取り付けることができる。
【００４３】
一般的に、リモコン２０と室内機１０の設置場所及びこれらの接続状況は使用状況に応じて様々である。本空気調和機によれば、表示部１４が設けられたコーナーカバー１１３を、コーナーカバー１１３が取り付けられるべき位置（例えば４隅）のいずれにも取り付けることができるので、室内機１０、リモコン２０の設置場所及びこれらの接続状況に応じて、リモコン２０の設置場所から視認容易な位置に表示部１４を設けることができる。
【００４４】
なお、表示部１４は、ＬＥＤ、フラッシュライト、液晶パネルなど、いかなる表示装置であってもよい。但し、ＬＥＤやフラッシュライトであれば、表示部１４を簡単な構造で実現することができ、ひいては表示部１４と配線１４１との接続構造を簡単にできる。従って、表示部１４が設けられたコーナーカバー１１３を、配線１４１と表示部１４とを接続しつつ化粧パネル１１０に簡単に取り付けることができる。言い換えると作業性を向上できる。
【００４５】
また、本空気調和機において、表示部１４に室内機１０の状態を表示してもよい。以下に、より具体的に例を挙げて説明する。
【００４６】
図７は、表示部１４の一例を示す概念的な構成図である。表示部１４は、少なくとも一つ以上のＬＥＤを備えている。図７においては、１３個のＬＥＤ１４ａ〜１４ｍを備えている。
【００４７】
ＬＥＤ１４ａはリモコン２０の操作対象である旨を表示する。ＬＥＤ１４ｂ〜１４ｄは、空気調和機（室内機１０）の運転状況が例えば冷房／暖房／送風運転である旨をそれぞれ表示する。ＬＥＤ１４ｅ〜１４ｍについては後述する。
【００４８】
例えばユーザが冷房／暖房／送風運転を選択して操作入力した場合、操作部２３は当該操作入力に応じて操作信号を制御部２２に出力する。当該操作信号を受け取った制御部２２はそれぞれ当該操作信号に応じて冷房／暖房／送風運転指示を、室内機１０に送信する。
【００４９】
図６を参照して、制御部１２はステップＳ１，Ｓ２を実行した後に、ステップＳ３にて、リモコン２０から受け取った信号が暖房運転指示かどうかを判断する。暖房運転指示であると判断した場合は、ステップＳ４にて、暖房運転である旨を表示部１４に表示する。より具体的には、例えばＬＥＤ１４ｂを点灯させる。次にステップＳ５にて、制御部１２は暖房運転を実行する。
【００５０】
ステップＳ３にて暖房運転指示でないと判断すると、ステップＳ６にて、リモコン２０から受け取った信号が冷房運転指示であるかどうかを判断する。冷房運転指示であると判断した場合は、ステップＳ７にて、冷房運転である旨を表示部１４に表示する。より具体的には、例えばＬＥＤ１４ｃを点灯させる。次にステップＳ８にて、制御部１２は冷房運転を実行する。
【００５１】
ステップＳ６にて、冷房運転指示でないと判断した場合は、ステップＳ９にて、リモコン２０から受け取った信号が送風運転指示であるかどうかを判断する。送風運転指示であると判断した場合は、ステップＳ１０にて、送風運転である旨を表示部１４に表示する。より具体的には、ＬＥＤ１４ｄを点灯させる。次にステップＳ１１にて、制御部１２は送風運転を実行する。
【００５２】
以上のように、リモコン２０への操作入力に応じて、室内機１０の運転状況を表示部１４に表示するので、ユーザはリモコン２０の設置場所から室内機１０の運転状況を視認することができる。
【００５３】
なお、リモコン２０からの運転指示を受け取ったことを以って、運転指示に応じて冷房／暖房／送風運転である旨を表示部１４に表示しているが、必ずしもこれに限らない。リモコン２０の操作入力の有無に拘わらず、制御部１２は現在の室内機１０の運転状況を認識して当該運転状況に応じて表示部１４に表示してもよい。
【００５４】
また、例えば冬期などにおいて空気中の水分が凝結して図示せぬ室外機に霜が堆積する場合がある。空気調和機においては、例えば運転開始前にこのような霜を除去する霜取り運転が行われる。制御部１２は空気調和機が現在霜取り運転中であることを認識しているので、表示部１４に霜取り運転である旨を表示させてもよい。より具体的には、例えば霜取り運転であることを表すＬＥＤ１４ｅを点灯させる。
【００５５】
また、吸入口１１１には、室内１の空気を吸入するに際して当該空気中の埃を除去するフィルタが設けられている。このフィルタは所定の期間ごとに交換されることが好ましい。制御部１２は、フィルタの交換時期が近い（例えば１週間前）場合に、交換時期が近づいていることを表示部１４に表示してもよい。より具体的には、例えばフィルタ交換時期が近づいていることを表すＬＥＤ１４ｆを点灯させる。なお交換時期が近いことは、例えば予め記録された交換日と、現在日との比較により制御部１２が認識することができる。
【００５６】
また、空気調和機において種々の異常が生じる場合がある。異常状態の一例としては、例えばファンモータロック、通信異常などがある。制御部１２はこのような異常状態を検知すると、表示部１４に検知した異常状態を表示する。より具体的には、ＬＥＤ１４ｇ〜１４ｍを点灯させて異常コードを表示する。
【００５７】
以上のように、リモコン２０の操作対象を視認するための表示部１４に室内機１０の種々の状態を表示することができる。よって、ユーザは表示部１４を視認することで、室内機１０の状態を把握できる。
【００５８】
なお、運転状況、異常コード等をＬＥＤの点灯で表示しているが、運転状況、異常コードに応じてＬＥＤの色を変えて表示してもよく、これらを組み合わせて表示しても構わない。
【図面の簡単な説明】
【００５９】
【図１】空気調和機の一例を示す概念的な構成図である。
【図２】室内機及びリモコンの内部構成の一例を示す概念的な構成図である。
【図３】室内機の外観の一例を示す概念的な斜視図である。
【図４】室内機を天井に固定する様子を示す図である。
【図５】天井側からみた室内機の断面の一例を示す概念的な構成図である。
【図６】制御部の動作の一例を示すフローチャートである。
【図７】表示部の一例を示す概念的な構成図である。
【符号の説明】
【００６０】
１０，１０ａ〜１０ｄ  室内機
１１  通信部
１２  制御部
１４  表示部
１４ａ〜１４ｍ  ＬＥＤ
２０，２０ａ〜２０ｄ  リモートコントローラ
２１  通信部
２２  制御部
２３  操作部
１１０  化粧パネル
１１１  吸入口
１１２  吹出し口
１１３，１１３ａ〜１１３ｄ  コーナーカバー
１２１  固定部
１４１  配線
【図１】
2009079786.tif 000003
【図２】
2009079786.tif 000004
【図３】
2009079786.tif 000005
【図４】
2009079786.tif 000006
【図５】
2009079786.tif 000007
【図６】
2009079786.tif 000008
【図７】
2009079786.tif 000009
【手続補正書】
【提出日】平成20年9月29日(2008.9.29)
【手続補正１】
【補正対象書類名】特許請求の範囲
【補正対象項目名】請求項１
【補正方法】変更
【補正の内容】
【請求項１】
複数の室内機（１０，１０ａ〜１０ｄ）と、リモートコントローラ（２０，２０ａ〜２０ｄ）とを有する空気調和機であって、
前記リモートコントローラは、
前記室内機への操作が入力される操作部（２３）と、
前記操作が入力されたときに、前記複数の室内機のうち、前記リモートコントローラが操作対象とする少なくとも一つ以上の室内機へと信号を送信するリモコン通信部（２１，２２）と
を備え、
前記複数の室内機のうち、前記リモートコントローラが操作対象とする少なくとも一つ以上の前記室内機は、
室内（１）の空気を吸入する吸入口（１１１）と、前記室内へと空気を吹き出す吹出口（１１２）と、複数の取り付け箇所とを有するパネル（１１０）と、
各々が前記複数の箇所のいずれにも着脱可能に取り付けられ、相互に同一の形状を有する複数のカバー（１１３ａ〜１１３ｄ）と、
前記複数の取り付け箇所に設けられて、前記複数のカバーが外された状態で天井に取り付けられる固定部（１２１）と、
室内機通信部（１１）と、
前記複数のカバーの一つに設けられ、前記室内機通信部が前記信号を受け取ったときに、前記リモートコントローラの操作対象である旨を表示する表示部（１４）と
を備える、空気調和機。
【手続補正２】
【補正対象書類名】特許請求の範囲
【補正対象項目名】請求項２
【補正方法】変更
【補正の内容】
【請求項２】
前記リモートコントローラ（２０）が操作対象とする少なくとも一つ以上の前記室内機（１０）は、前記複数のカバー（１１３）にそれぞれ対応する複数の位置において前記表示部（１４）と前記室内機通信部（１１）との間を接続する複数の配線（１４１）を更に備える、請求項１に記載の空気調和機。
【手続補正３】
【補正対象書類名】明細書
【補正対象項目名】０００８
【補正方法】変更
【補正の内容】
【０００８】
本発明に係る空気調和機の第１の態様は、複数の室内機（１０，１０ａ〜１０ｄ）と、リモートコントローラ（２０，２０ａ〜２０ｄ）とを有する空気調和機であって、前記リモートコントローラは、前記室内機への操作が入力される操作部（２３）と、前記操作が入力されたときに、前記複数の室内機のうち、前記リモートコントローラが操作対象とする少なくとも一つ以上の室内機へと信号を送信するリモコン通信部（２１，２２）とを備え、前記複数の室内機のうち、前記リモートコントローラが操作対象とする少なくとも一つ以上の前記室内機は、室内（１）の空気を吸入する吸入口（１１１）と、前記室内へと空気を吹き出す吹出口（１１２）と、複数の取り付け箇所とを有するパネル（１１０）と、各々が前記複数の箇所のいずれにも着脱可能に取り付けられ、相互に同一の形状を有する複数のカバー（１１３ａ〜１１３ｄ）と、前記複数の取り付け箇所に設けられて、前記複数のカバーが外された状態で天井に取り付けられる固定部（１２１）と、室内機通信部（１１）と、前記複数のカバーの一つに設けられ、前記室内機通信部が前記信号を受け取ったときに、前記リモートコントローラの操作対象である旨を表示する表示部（１４）とを備える。
【手続補正４】
【補正対象書類名】明細書
【補正対象項目名】０００９
【補正方法】変更
【補正の内容】
【０００９】
本発明に係る空気調和機の第２の態様は、第１の態様に係る空気調和機であって、前記リモートコントローラ（２０）が操作対象とする少なくとも一つ以上の前記室内機（１０）は、前記複数の前記カバー（１１３）に対応する位置において前記表示部（１４）と前記室内機通信部（１１）との間を接続する複数の配線（１４１）を更に備える。